【手続補正書】
【提出日】平成18年3月8日(2006.3.8)
【手続補正１】
【補正対象書類名】明細書
【補正対象項目名】特許請求の範囲
【補正方法】変更
【補正の内容】
【特許請求の範囲】
【請求項１】  原稿読取部からの一連の原稿データを入力する入力処理及び外部装置からの一連の原稿データを入力する入力処理を含む複数の入力処理のうちの少なくとも何れかの入力処理が可能な入力手段と、前記入力手段により入力された一連の原稿データのプリント処理及び前記一連の原稿データの画像記憶手段への記憶処理及び前記一連の原稿データの他装置への送信処理を含む複数の出力処理のうちの少なくとも何れかの出力処理が可能な出力手段と、を有する画像入出力装置であって、
前記入力手段による複数回の一連の原稿データの入力処理を経て入力される複数の一連の原稿データを１つのグループに含まれるデータとして前記出力手段により出力可能にする連続入力モードを含む複数の処理条件のうちの少なくとも何れかの処理条件を設定可能にする設定手段と、
前記連続入力モードに従った前記入力手段による一連の原稿データの入力処理が開始される前に前記連続入力モードで処理すべき原稿データに対して前記設定手段により設定されていない処理条件を、前記連続入力モードに従った前記入力手段による一連の原稿データの入力処理が開始された後でも、前記連続入力モードで処理すべき原稿データに対して設定可能にする制御手段と、
を有することを特徴とする画像入出力装置。
【請求項２】  請求項１記載の画像入出力装置であって、
前記制御手段は、前記連続入力モードで処理すべき原稿データに対して前記設定手段により設定されていない処理条件を、前記連続入力モードに従った前記入力手段による入力処理の開始後から前記連続入力モードに従った前記出力手段による出力処理の開始前の期間内において、前記連続入力モードで処理すべき原稿データに対して設定可能にすることを特徴とする画像入出力装置。
【請求項３】  請求項２記載の画像入出力装置であって、
前記制御手段は、前記連続入力モードで処理すべき原稿データに対して前記設定手段により設定されていない処理条件を、前記期間内における所定タイミングにて、前記連続入力モードで処理すべき原稿データに対して設定可能にすることを特徴とする画像入出力装置。
【請求項４】  請求項１乃至３の何れかに記載の画像入出力装置であって、
前記制御手段は、前記連続入力モードで処理すべき原稿データに対して前記設定手段により設定されていない処理条件を、前記連続入力モードに従った前記入力手段による複数回の入力処理における前回の一連の原稿データの入力処理の終了時点から次回の一連の原稿データの入力処理の開始時点までの期間に含まれる前記連続入力モードの中間状態時において、前記連続入力モードで処理すべき原稿データに対して設定可能にすることを特徴とする画像入出力装置。
【請求項５】  請求項１乃至４の何れかに記載の画像入出力装置であって、
前記制御手段は、前記連続入力モードで処理すべき原稿データに対して前記設定手段により設定されていない処理条件を、前記連続入力モードに従った前記入力手段による複数回の入力処理における各一連の原稿データの入力処理が終了する度に、前記連続入力モードで処理すべき原稿データに対して設定可能にすることを特徴とする画像入出力装置。
【請求項６】  請求項１乃至５の何れかに記載の画像入出力装置であって、
前記制御手段は、前記連続入力モードで処理すべき原稿データに対して前記設定手段により設定されていない処理条件を、前記連続入力モードに従った前記入力手段による入力処理の開始後から前記連続入力モードに従った前記出力手段による出力処理の開始前の期間内におけるユーザからの指示に応じた任意のタイミングで、前記連続入力モードで処理すべき原稿データに対して設定可能にすることを特徴とする画像入出力装置。
【請求項７】  請求項１乃至６の何れかに記載の画像入出力装置であって、
前記設定手段は、少なくとも前記出力手段による出力処理に関係なく処理条件を設定可能とし、
前記制御手段は、前記連続入力モードで処理すべき原稿データに対して前記設定手段により設定されていない処理条件を、ユーザからの指示に応じた任意のタイミングで、前記連続入力モードで処理すべき原稿データに対して前記設定手段を介して設定可能にすることを特徴とする画像入出力装置。
【請求項８】  請求項１乃至７の何れかに記載の画像入出力装置であって、
前記制御手段は、前記連続入力モードで処理すべき原稿データに対して前記設定手段により設定されていない処理条件を、前記連続入力モードに従った前記入力手段による一連の原稿データの入力処理において所定ページ数分処理したことに応じて、前記連続入力モードで処理すべき原稿データに対して設定可能にすることを特徴とする画像入出力装置。
【請求項９】  請求項１乃至８の何れかに記載の画像入出力装置であって、
前記制御手段は、前記連続入力モードで処理すべき原稿データに対して前記設定手段により設定されていない処理条件として、連続入力モードで処理すべき原稿データがプリントされたシートに特定のシートを挿入可能な合紙挿入モードを、前記連続入力モードで処理すべき原稿データに対して設定可能にすることを特徴とする画像入出力装置。
【請求項１０】請求項１乃至９の何れか１項に記載の画像入出力装置であって、
前記制御手段は、前記連続入力モードで処理すべき原稿データに対して前記設定手段により設定されていない処理条件として、前記連続入力モードで処理すべき原稿データがプリントされたシートに特定シートを挿入可能な合紙挿入モードを、前記連続入力モードに従った前記入力手段による複数回の入力処理における前回の一連の原稿データの入力処理の終了時点から次回の一連の原稿データの入力処理の開始時点までの期間に含まれる前記連続入力モードの中間状態時にて、前記連続入力モードで処理すべき原稿データに対して設定可能にすることを特徴とする画像入出力装置。
【請求項１１】  請求項１０記載の画像入出力装置であって、
前記制御手段は、前記合紙挿入モードの設定として、前記特定シートの種類を選択する為の第１の合紙設定項目及び前記特定シート上に前記連続読込モードで処理すべき原稿データをプリントするか否かを選択する為の第２の合紙設定項目を含む複数の前記合紙挿入モードに関する設定項目のうちの少なくとも何れかの合紙設定項目の設定を、前記連続入力モードの中間状態時にて、前記連続入力モードで処理すべき原稿データに対して設定可能にすることを特徴とする画像入出力装置。
【請求項１２】  請求項１１記載の画像入出力装置であって、
前記制御手段は、前記第２の合紙設定項目を介して特定シート上にプリントをする選択がなされた場合において前記特定シートにプリントすべき原稿データを前記連続読込モードにて処理すべき一連の原稿データの中から選択するための第３の合紙設定項目の設定を、前記連続入力モードの中間状態時にて、前記連続入力モードで処理すべき原稿データに対して設定可能にすることを特徴とする画像入出力装置。
【請求項１３】  請求項１２記載の画像入出力装置であって、
前記制御手段は、前記第３の合紙設定項目を介して、前記連続入力モードに従った前記複数回の入力処理における前回の一連の原稿データのうちの最終ページの原稿データ及び次回の一連の原稿データのうちの先頭ページの原稿データの何れかを選択可能にする為の設定を、前記連続入力モードの中間状態時にて、前記連続入力モードで処理すべき原稿データに対して設定可能にすることを特徴とする画像入出力装置。
【請求項１４】  請求項１２又は１３に記載の画像入出力装置であって、
前記制御手段は、前記第３の合紙設定項目を介して、前記連続読込モードにて処理すべき一連の原稿データに含まれる任意のページの原稿データを選択可能にする為の設定を、前記連続入力モードの中間状態時にて、前記連続入力モードで処理すべき原稿データに対して設定可能にすることを特徴とする画像入出力装置。
【請求項１５】  請求項１乃至１４の何れかに記載の画像入出力装置であって、
前記制御手段は、前記連続入力モードで処理すべき原稿データに対して前記設定手段により設定されていない処理条件として、前記連続入力モードで処理すべき原稿データと特定のフォーム画像との合成処理を実行可能なフォーム合成モードを、前記連続入力モードで処理すべき原稿データに対して設定可能にすることを特徴とする画像入出力装置。
【請求項１６】  請求項１乃至１５の何れかに記載の画像入出力装置であって、
前記制御手段は、前記連続入力モードで処理すべき原稿データに対して前記設定手段により設定されていない処理条件として、前記連続入力モードで処理すべき原稿データと特定のフォーム画像との合成処理を実行可能なフォーム合成モードを、前記連続入力モードに従った前記入力手段による複数回の入力処理における前回の一連の原稿データの入力処理の終了時点から次回の一連の原稿データの入力処理の開始時点までの期間に含まれる前記連続入力モードの中間状態時にて、前記連続入力モードで処理すべき原稿データに対して設定可能にすることを特徴とする画像入出力装置。
【請求項１７】  請求項１６記載の画像入出力装置であって、
前記制御手段は、前記フォーム合成モードの設定として、前記連続入力モードで処理すべき原稿データに合成すべき特定のフォーム画像を予めメモリに記憶された複数のフォーム画像の中から選択する為の第１のフォーム合成設定項目及び前記特定のフォーム画像を合成すべき原稿データを前記連続入力モードで処理すべき一連の原稿データの中から選択する為の第２のフォーム合成設定項目を含む複数のフォーム合成モードに関する設定項目のうちの少なくとも何れかのフォーム合成設定項目の設定を、前記連続入力モードの中間状態時にて、前記連続入力モードで処理すべき原稿データに対して設定可能にすることを特徴とする画像入出力装置。
【請求項１８】  請求項１７記載の画像入出力装置であって、
前記制御手段は、前記第２のフォーム合成設定項目を介して、前記特定のフォーム画像と合成すべき原稿データとして前記連続入力モードに従った前記複数回の入力処理における前回の一連の原稿データのうちの最終ページの原稿データ及び次回の一連の原稿データのうちの先頭ページの原稿データの何れかを選択可能にする為の設定を、前記連続入力モードの中間状態時にて、前記連続入力モードで処理すべき原稿データに対して設定可能にすることを特徴とする画像入出力装置。
【請求項１９】  請求項１乃至１８の何れかに記載の画像入出力装置であって、
前記制御手段は、前記連続入力モードで処理すべき原稿データに対して前記設定手段により設定されていない処理条件として、合紙挿入モード及びフォーム合成モード及びページ連写モード及び縮小レイアウトモード及び製本モード及び拡大レイアウトモード及びステイプルモード及び両面モード及び綴じ代モード及び原稿混載モード及びＯＨＰ中差モード及び移動モード及び枠消しモード及びジョブ終了通知モードを含む複数の処理条件のうちの少なくとも何れかの処理モードを、前記連続入力モードで処理すべき原稿データに対して設定可能にすることを特徴とする画像入出力装置。
【請求項２０】  請求項１乃至１９の何れかに記載の画像入出力装置であって、
前記制御手段は、前記連続入力モードで処理すべき原稿データに対して前記設定手段により設定されていない処理条件として、合紙挿入モード及びフォーム合成モード及びページ連写モード及び縮小レイアウトモード及び製本モード及び拡大レイアウトモード及びステイプルモード及び両面モード及び綴じ代モード及び原稿混載モード及びＯＨＰ中差モード及び移動モード及び枠消しモード及びジョブ終了通知モードを含む複数の処理条件のうちの少なくとも何れかの処理モードを、前記連続入力モードに従った前記入力手段による複数回の入力処理における前回の一連の原稿データの入力処理の終了時点から次回の一連の原稿データの入力処理の開始時点までの期間に含まれる前記連続入力モードの中間状態時にて、前記連続入力モードで処理すべき原稿データに対して設定可能にすることを特徴とする画像入出力装置。
【請求項２１】  請求項１乃至２０の何れかに記載の画像入出力装置であって、
前記制御手段は、前記連続入力モードで処理すべき原稿データに対して前記設定手段により設定されていない処理条件を前記連続入力モードで処理すべき原稿データに対して設定可能にする操作画面を、前記連続入力モードに従った前記入力手段による入力処理の開始後から前記連続入力モードに従った前記出力手段による出力処理の開始前の期間内において、操作部に表示させることを特徴とする画像入出力装置。
【請求項２２】  請求項２１に記載の画像入出力装置であって、
前記制御手段は、前記操作画面を前記期間内における所定タイミングにて操作部に表示させることで、前記連続入力モードで処理すべき原稿データに対して前記設定手段により設定されていない処理条件を前記連続入力モードで処理すべき原稿データに対して前記操作画面を介して設定可能にすることを特徴とする画像入出力装置。
【請求項２３】  請求項２１又は２２記載の画像入出力装置であって、
前記制御手段は、前記操作画面を、前記連続入力モードに従った前記入力手段による複数回の入力処理における前回の一連の原稿データの入力処理の終了時点から次回の一連の原稿データの入力処理の開始時点までの期間に含まれる前記連続入力モードの中間状態時において、表示させることで、前記連続入力モードで処理すべき原稿データに対して前記設定手段により設定されていない処理条件を前記連続入力モードで処理すべき原稿データに対して前記操作画面を介して設定可能にすることを特徴とする画像入出力装置。
【請求項２４】  請求項２１乃至２３の何れかに記載の画像入出力装置であって、
前記制御手段は、前記操作画面を、前記連続入力モードに従った前記入力手段による複数回の入力処理における各一連の原稿データの入力処理が終了する度に、表示させることで、前記連続入力モードで処理すべき原稿データに対して前記設定手段により設定されていない処理条件を前記連続入力モードで処理すべき原稿データに対して前記操作画面を介して設定可能にすることを特徴とする画像入出力装置。
【請求項２５】  請求項２１乃至２４の何れかに記載の画像入出力装置であって、
前記制御手段は、前記操作画面を、前記連続入力モードに従った前記入力手段による入力処理の開始後から前記連続入力モードに従った前記出力手段による出力処理の開始前の期間内におけるユーザからの指示に応じた任意のタイミングで、表示させることで、前記連続入力モードで処理すべき原稿データに対して前記設定手段により設定されていない処理条件を前記連続入力モードで処理すべき原稿データに対して前記操作画面を介して設定可能にすることを特徴とする画像入出力装置。
【請求項２６】  請求項２１乃至２５の何れか１項に記載の画像入出力装置であって、
前記制御手段は、前記操作画面を、少なくとも前記出力手段による出力処理に関係なく前記表示部に表示させることで、前記連続入力モードで処理すべき原稿データに対して前記設定手段により設定されていない処理条件を前記連続入力モードで処理すべき原稿データに対して前記操作画面を介して設定可能にすることを特徴とする画像入出力装置。
【請求項２７】  請求項１乃至２６の何れかに記載の画像入出力装置であって、
前記制御手段は、前記連続入力モードで処理すべき原稿データに対して前記設定手段により設定されていない処理条件を前記連続入力モードで処理すべき原稿データに対して設定可能にする新規設定操作表示部を具備する操作画面を、前記連続入力モードに従った前記入力手段による入力処理の開始後から前記連続入力モードに従った前記出力手段による出力処理の開始前の期間内において、操作部に表示させることを特徴とする画像入出力装置。
【請求項２８】  請求項１乃至２７の何れかに記載の画像入出力装置であって、
前記制御手段は、前記連続入力モードで処理すべき原稿データに対して前記設定手段により設定されていない処理条件を前記連続入力モードで処理すべき原稿データに対して設定可能にする新規設定操作表示部を具備すると共に、前記連続入力モードで処理すべき原稿データに対して既に設定済みの処理条件をユーザにより確認可能にする為の処理条件確認表示部、及び、前記連続入力モードで処理すべき原稿データに対して設定済みの処理条件を設定変更する為の設定変更操作表示部、及び、装置の動作状況をユーザに通知する為のステータス表示部、及び、ユーザがこれから行うべき操作をユーザにガイダンスする為の操作ガイダンス表示部、及び、連続入力モードでの入力処理の終了指示を入力する為の終了指示操作表示部、を含む複数種類の表示部のうちの、少なくとも何れかの表示部を具備する操作画面を、前記連続入力モードに従った前記入力手段による複数回の入力処理における前回の一連の原稿データの入力処理の終了時点から次回の一連の原稿データの入力処理の開始時点までの期間に含まれる前記連続入力モードの中間状態時において、操作部に表示させることを特徴とする画像入出力装置。
【請求項２９】  請求項１乃至２８の何れかに記載の画像入出力装置であって、
前記制御手段は、少なくとも複数ページ分の原稿データを記憶可能な記憶手段を制御し、
前記制御手段は、前記連続入力モードに従って前記入力手段により複数回の入力処理を経て入力される複数の一連の原稿データを前記記憶手段を介して１つのグループに含まれるデータとして前記出力手段により出力可能にすべく、前記連続入力モードに従って複数回の入力処理を経て入力される前記複数の一連の原稿データの全ての一連の原稿データが前記記憶手段に記憶されるまでの間は、前記記憶手段に記憶された前記連続入力モードで処理すべき原稿データを前記出力手段により出力させることなく、前記記憶手段に前記各一連の原稿データを保持させることを特徴とする画像入出力装置。
【請求項３０】  請求項１乃至２９の何れかに記載の画像入出力装置であって、
前記画像入出力装置は、コピー機能及び外部プリンタ機能及びボックス機能及び送信機能を含む複数の機能のうちの少なくとも２つ以上の機能を有する複合装置、又は、前記複数の機能のうちの何れか１つの機能のみを有する単一機能装置であることを特徴とする画像入出力装置。
【請求項３１】  原稿読取部からの一連の原稿データを入力する入力処理及び外部装置からの一連の原稿データを入力する入力処理を含む複数の入力処理のうちの少なくとも何れかの入力処理が可能な入力手段と、前記入力手段により入力された一連の原稿データのプリント処理及び前記一連の原稿データの記憶手段への記憶処理及び前記一連の原稿データの他装置への送信処理を含む複数の出力処理のうちの少なくとも何れかの出力処理が可能な出力手段と、を有する画像入出力システムの為の操作方法であって、
前記入力手段による複数回の一連の原稿データの入力処理を経て入力される複数の一連の原稿データを１つのグループに含まれるデータとして前記出力手段により出力可能にする連続入力モードを含む複数の処理条件のうちの少なくとも何れかの処理条件を、操作手段を介してユーザから受付可能にし、
前記連続入力モードに従った前記入力手段による一連の原稿データの入力処理が開始される前に前記連続入力モードで処理すべき原稿データの為に受付けた処理条件以外の処理条件を、前記連続入力モードに従った前記入力手段による一連の原稿データの入力処理が開始された後でも、前記連続入力モードで処理すべき原稿データの為に、操作手段を介してユーザから受付可能にする、ことを特徴とする操作方法。
【請求項３２】  原稿読取部からの一連の原稿データを入力する入力処理及び外部装置からの一連の原稿データを入力する入力処理を含む複数の入力処理のうちの少なくとも何れかの入力処理が可能な入力手段と、前記入力手段により入力された一連の原稿データのプリント処理及び前記一連の原稿データの記憶手段への記憶処理及び前記一連の原稿データの他装置への送信処理を含む複数の出力処理のうちの少なくとも何れかの出力処理が可能な出力手段と、を有し、前記入力手段による複数回の一連の原稿データの入力処理を経て入力される複数の一連の原稿データを１つのグループに含まれるデータとして前記出力手段により出力可能にする連続入力モードを実行可能な画像入出力システムの為の操作方法であって、
前記連続入力モードで処理すべき原稿データに対して、原稿データのページ情報を設定する必要のある処理条件を有する処理モード、を、前記連続入力モードに従った前記入力手段による一連の原稿データの入力処理が開始された後に、設定可能にすることを特徴とする操作方法。
【請求項３３】  請求項３２の方法であって、
前記原稿データのページ情報を設定する必要のある処理条件を有する処理モードとして、合紙挿入モード、及び、フォーム合成モード、及び、ナンバリングモード、含む、複数の処理モードの少なくとも何れかを、前記連続入力モードで処理すべき原稿データに対して、前記連続入力モードに従った前記入力手段による一連の原稿データの入力処理が開始された後に、設定可能にすることを特徴とする操作方法。
【請求項３４】  請求項３２又は３３の方法であって、
前記連続入力モードに従った前記入力手段による複数回の入力処理における前回の一連の原稿データの入力処理の終了時点から次回の一連の原稿データの入力処理の開始時点までの期間に含まれる前記連続入力モードの中間状態時において、前記連続入力モードで処理すべき原稿データに対して、原稿データのページ情報を設定する必要のある処理条件を有する処理モード、を、設定可能にすることを特徴とする操作方法。
【請求項３５】  原稿読取部からの一連の原稿データを入力する入力処理及び外部装置からの一連の原稿データを入力する入力処理を含む複数の入力処理のうちの少なくとも何れかの入力処理が可能な入力手段と、前記入力手段により入力された一連の原稿データのプリント処理及び前記一連の原稿データの記憶手段への記憶処理及び前記一連の原稿データの他装置への送信処理を含む複数の出力処理のうちの少なくとも何れかの出力処理が可能な出力手段と、を有し、前記入力手段による複数回の一連の原稿データの入力処理を経て入力される複数の一連の原稿データを１つのグループに含まれるデータとして前記出力手段により出力可能にする連続入力モードを実行可能な画像入出力システムの為の操作画面表示方法であって、
前記連続入力モードに従った前記入力手段による一連の原稿データの入力処理が開始される前に前記連続入力モードで処理すべき原稿データに対して設定されていない処理条件を、前記連続入力モードに従った前記入力手段による一連の原稿データの入力処理が開始された後に、前記連続入力モードで処理すべき原稿データに対して設定可能にする新規設定操作表示部を有する操作画面を表示装置に表示させることを特徴とする操作画面表示方法。
【請求項３６】  請求項３５記載の方法であって、
前記連続入力モードに従った前記入力手段による一連の原稿データの入力処理が開始される前に前記連続入力モードで処理すべき原稿データに対して設定されていない処理条件を前記連続入力モードで処理すべき原稿データに対して設定可能にする前記新規設定操作表示部を有する前記操作画面を、前記連続入力モードに従った前記入力手段による入力処理の開始後から前記連続入力モードに従った前記出力手段による出力処理の開始前の期間内において、表示装置に表示させることを特徴とする操作画面表示方法。
【請求項３７】  請求項３６に記載の方法であって、
前記新規設定操作表示部を有する前記操作画面を、前記期間内における所定タイミングにて表示装置に表示させることを特徴とする操作画面表示方法。
【請求項３８】  請求項３５乃至３７の何れかに記載の方法であって、
前記新規設定操作表示部を有する前記操作画面を、前記連続入力モードに従った前記入力手段による複数回の入力処理における前回の一連の原稿データの入力処理の終了時点から次回の一連の原稿データの入力処理の開始時点までの期間に含まれる前記連続入力モードの中間状態時において、表示装置に表示させることを特徴とする操作画面表示方法。
【請求項３９】  請求項３５乃至３８の何れかに記載の方法であって、
前記新規設定操作表示部を有する前記操作画面を、前記連続入力モードに従った前記入力手段による複数回の入力処理における各一連の原稿データの入力処理が終了する度に、表示装置に表示させることを特徴とする操作画面表示方法。
【請求項４０】  請求項３５乃至３９の何れかに記載の方法であって、
前記新規設定操作表示部を有する前記操作画面を、前記連続入力モードに従った前記入力手段による入力処理の開始後から前記連続入力モードに従った前記出力手段による出力処理の開始前の期間内におけるユーザからの指示に応じた任意のタイミングで、表示装置に表示させることことを特徴とする操作画面表示方法。
【請求項４１】  請求項３５乃至４０の何れかに記載の方法であって、
前記新規設定操作表示部を有する前記操作画面を、前記連続入力モードに従った前記入力手段による一連の原稿データの入力処理において所定ページ数分処理したことに応じて、表示装置に表示させることを特徴とする操作画面表示方法。
【請求項４２】  請求項３５乃至４１の何れかに記載の方法であって、
前記新規設定操作表示部を有する前記操作画面を、少なくとも前記出力手段による出力処理に関係なく前記表示部に表示させることで、前記連続入力モードで処理すべき原稿データに対して前記設定手段により設定されていない処理条件を前記連続入力モードで処理すべき原稿データに対して前記操作画面を介して設定可能にすることを特徴とする操作画面表示方法。
【請求項４３】  請求項３５乃至４２の何れかに記載の方法であって、
前記操作画面は、前記新規設定操作表示部を有すると共に、前記連続入力モードで処理すべき原稿データに対して既に設定済みの処理条件をユーザにより確認可能にする為の処理条件確認表示部、及び、前記連続入力モードで処理すべき原稿データに対して設定済みの処理条件を設定変更する設定変更操作表示部、及び、装置の動作状況をユーザに通知する為のステータス表示部、及び、ユーザが行うべき操作をユーザにガイダンスする為の操作ガイダンス表示部、及び、連続入力モードでの入力処理の終了指示を入力する為の終了指示操作表示部、を含む複数種類の表示部のうちの、少なくとも何れかの表示部を有することを特徴とする操作画面表示方法。
【請求項４４】  請求項４３に記載の方法であって、
前記複数の表示部を有する前記操作画面を、前記連続入力モードに従った前記入力手段による複数回の入力処理における前回の一連の原稿データの入力処理の終了時点から次回の一連の原稿データの入力処理の開始時点までの期間に含まれる前記連続入力モードの中間状態時において、表示装置に表示させることを特徴とする操作画面表示方法。
【請求項４５】  請求項３５乃至４４の何れかに記載の方法であって、
前記連続入力モードで処理すべき原稿データがプリントされたシートに特定のシートを挿入可能な合紙挿入モードを前記連続入力モードで処理すべき原稿データに対して設定可能にする指示キー、を有する前記新規設定操作表示部、を有する操作画面を表示装置に表示させることを特徴とする操作画面表示方法。
【請求項４６】  請求項４５記載の方法であって、
前記合紙挿入モードの設定として、前記特定シートの種類を選択する為の第１の合紙設定項目及び前記特定シート上に前記連続読込モードで処理すべき原稿データをプリントするか否かを選択する為の第２の合紙設定項目を含む複数の前記合紙挿入モードに関する設定項目のうちの少なくとも何れかの合紙設定項目の設定を行う指示キー、を有する前記新規設定操作表示部、を有する操作画面を表示装置に表示させることを特徴とする操作画面表示方法。
【請求項４７】  請求項４６記載の方法であって、
前記第２の合紙設定項目を介して特定シート上にプリントをする選択がなされた場合において前記特定シートにプリントすべき原稿データを前記連続読込モードにて処理すべき一連の原稿データの中から選択するための第３の合紙設定項目の設定を行う指示キー、を有する前記新規設定操作表示部、を有する操作画面を表示装置に表示させることを特徴とする操作画面表示方法。
【請求項４８】  請求項４７記載の方法であって、
前記第３の合紙設定項目を介して、前記連続入力モードに従った前記複数回の入力処理における前回の一連の原稿データのうちの最終ページの原稿データ及び次回の一連の原稿データのうちの先頭ページの原稿データの何れかを選択可能にする為の指示キー、を有する前記新規設定操作表示部、を有する操作画面を表示装置に表示させることを特徴とする操作画面表示方法。
【請求項４９】  請求項４７又は４８に記載の方法であって、
前記第３の合紙設定項目を介して、前記連続読込モードにて処理すべき一連の原稿データに含まれる任意のページの原稿データを選択可能にする為の指示キー、を有する前記新規設定操作表示部、を有する操作画面を表示装置に表示させることを特徴とする操作画面表示方法。
【請求項５０】  請求項３５乃至４９の何れかに記載の方法であって、
前記連続入力モードで処理すべき原稿データと特定のフォーム画像との合成処理を実行可能なフォーム合成モードを前記連続入力モードで処理すべき原稿データに対して設定可能にする指示キー、を有する前記新規設定操作表示部、を有する操作画面を表示装置に表示させることを特徴とする操作画面表示方法。
【請求項５１】  請求項５０記載の方法であって、
前記フォーム合成モードの設定として、前記連続入力モードで処理すべき原稿データに合成すべき特定のフォーム画像を予めメモリに記憶された複数のフォーム画像の中から選択する為の第１のフォーム合成設定項目及び前記特定のフォーム画像を合成すべき原稿データを前記連続入力モードで処理すべき一連の原稿データの中から選択する為の第２のフォーム合成設定項目を含む複数のフォーム合成モードに関する設定項目のうちの少なくとも何れかのフォーム合成設定項目の設定を前記連続入力モードで処理すべき原稿データに対して設定可能にする指示キー、を有する前記新規設定操作表示部、を有する操作画面を表示装置に表示させることを特徴とする操作画面表示方法。
【請求項５２】  請求項５１記載の方法であって、
前記第２のフォーム合成設定項目を介して、前記特定のフォーム画像と合成すべき原稿データとして前記連続入力モードに従った前記複数回の入力処理における前回の一連の原稿データのうちの最終ページの原稿データ及び次回の一連の原稿データのうちの先頭ページの原稿データの何れかを選択可能にする為の設定を、前記連続入力モードの中間状態時にて、前記連続入力モードで処理すべき原稿データに対して設定可能にする指示キー、を有する前記新規設定操作表示部、を有する操作画面を表示装置に表示させることを特徴とする操作画面表示方法。
【請求項５３】  請求項３５乃至５２の何れかに記載の方法であって、
合紙挿入モード及びフォーム合成モード及びページ連写モード及び縮小レイアウトモード及び製本モード及び拡大レイアウトモード及びステイプルモード及び両面モード及び綴じ代モード及び原稿混載モード及びＯＨＰ中差モード及び移動モード及び枠消しモード及びジョブ終了通知モードを含む複数の処理条件のうちの少なくとも何れかの処理モードを前記連続入力モードで処理すべき原稿データに対して設定可能にする指示キー、を有する前記新規設定操作表示部、を有する操作画面を表示装置に表示させることを特徴とする操作画面表示方法。
【請求項５４】  請求項３５乃至５３の何れかに記載の方法であって、
前記操作画面を、前記画像入出力装置が具備する操作部の表示装置及び前記外部装置が具備する表示装置の少なくとも何れかの表示装置に表示させることを特徴とする操作画面表示方法。
【請求項５５】  請求項３１乃至５４の何れかに記載の方法を実行させる為のプログラムを記憶したことを特徴とするコンピュータ読取可能な記憶媒体。
【請求項５６】  請求項３１乃至５４の何れかに記載の方法を実行させる為の画像入出力システム。